(57)【要約】      （修正有）【課題】一定時間毎に服用すべき薬の服用を失念したり、重複服用したりするおそれを防ぐ一般家庭用薬保管ケースを提供する。【解決手段】透明又は半透明な合成樹脂のケース本体台１０へ一定時間毎に服用すべき薬収納凹所１１ａ〜１１ｄの合計４個を、その少なくとも上方から全体的に通覧できる上向き開口分布状態に並列設置して、その各薬収納凹所１１ａ〜１１ｄへ透明又は半透明な合成樹脂の開閉キャップ１４ａ〜１４ｄを取り付ける。また、上記ケース本体台１０における各薬収納凹所１１ａ〜１１ｄと対応位置する合計４個所と各開閉キャップ１４ａ〜１４ｄへ、薬服用時間の案内文字Ａ、Ｂ、Ｃ、Ｄがプリントされた表示シール１８ａ〜１８ｄを貼り付けた。【選択図】図２
0003170599.tif 000002
【実用新案登録請求の範囲】
【請求項１】
透明又は半透明な合成樹脂のケース本体台へ一定時間毎に服用すべき薬収納凹所の複数個を、その少なくとも上方から全体的に通覧できる上向き開口分布状態に並列設置して、
その複数個の薬収納凹所へ透明又は半透明な合成樹脂の開閉キャップを各々取り付けると共に、
上記ケース本体台における各薬収納凹所と対応する位置又は／及びその各開閉キャップへ、薬服用時間の案内文字がプリントされた表示シールを貼り付けたことを特徴とする一般家庭用の薬保管ケース。
【請求項２】
ケース本体台に並列設置する薬収納凹所とその開閉キャップを合計４個づつとし、表示シールにプリントする薬服用時間の案内文字を、朝・昼・夜の毎食後と就寝前の意味になる合計４種類に設定したことを特徴とする請求項１記載の一般家庭用の薬保管ケース。
【請求項３】
ケース本体台に並列設置する各薬収納凹所の内底面を、深く陥没する円錐凹曲面に造形したことを特徴とする請求項１又は２記載の一般家庭用の薬保管ケース。
【請求項４】
ケース本体台に並列設置する各薬収納凹所の開閉キャップ又は／及びその各表示シールへ、互いに異なる着色カラーを与えたことを特徴とする請求項１又は２記載の一般家庭用の薬保管ケース。
【考案の詳細な説明】
【技術分野】
【０００１】
本考案は主として老人の服用忘れや重複服用などを防ぐ一般家庭用の薬保管ケースに関する。
【背景技術】
【０００２】
平均寿命の長い日本の一般家庭では、老人が毎日多品種の薬（錠剤やカプセル剤）を服用している常態にあり、その薬を個人的に正しく自主管理できていなければ、同じ品種や異なる品種の薬を重複服用したり、その薬の服用そのものを失念したりし、却って健康を阻害してしまう心配がある。
【０００３】
このような問題の対策となる薬箱が、下記特許文献１〜３に開示されており、これらは何れも朝・昼・晩などの服用時間を基準として、その服用すべき薬を分別保管するようになっている点で、本考案に近似する公知技術であると考えられる。
【先行技術文献】
【特許文献】
【０００４】
【特許文献１】実開平６−８１５４０号公報
【特許文献２】実用新案登録第３０６１７８９号公報
【特許文献３】特開２００７−７３６５号公報
【考案の概要】
【考案が解決しようとする課題】
【０００５】
ところが、特許文献１に記載のものは旅行などの携帯に便利な樹脂製の薬袋として、柔らかく保形性に劣るため、各収納部（１２）〜（１８）の形状や大きさ、開閉ファスナー（２０）の構成、切り欠き（２６）の役目などが不明であることとも相俟って、老人にとって薬の出し入れを円滑に行い難く、机上での使用などには大変不便である。
【０００６】
又、各収納部（１２）〜（１８）を形作る底の狭部が、封止部（２４）によって閉じられているとしても、軟質の薬袋であれば、その閉じられた底を常時薬の取り出しやすい安定な形態に確保することができない。その封止部（２４）を常時凸曲面に保形できるとすれば、言わば揚げ底になるため、薬の収納量がそれだけ減少し、内部の清掃も行い難い。
【０００７】
他方、特許文献２に記載の薬箱では、必要な構成の簡素で足りる利点がある反面、朝・昼・夜・寝る前に区切られた上段の引き出し（１）（２）を、使用時に前方へ引き出し操作すると、その引き出し（１）における朝と昼との両収納部や、別な引き出し（２）における夜と寝る前との両収納部が、その２個づつの一挙同時に開口する結果になるため、その朝と昼との服用すべき薬を誤まって出し入れしたり、又夜と寝る前との服用すべき薬を誤まって出し入れしたりするおそれがあり、老人に未だ正しく服用させ得る保障はない。  
【０００８】
この点、特許文献３に記載の薬箱では、朝・昼・夜の各薬収納部（４ａ）（４ｂ）（４ｃ）に共通する開閉用外蓋（３）のほかに、その各薬収納部（４ａ）（４ｂ）（４ｃ）を個別に開閉する内蓋（２）が介在しているため、特許文献２の上記問題を予防できるとしても、その内蓋（２）を必らず横方向へスライド操作しなければならず、これを毎回行うことは、老人にとって甚だ煩らわしく面倒であり、その結果として例えば内蓋（２）を取り除いてしまうと、特許文献２の上記問題を生じる。その内蓋（２）の突起部（５）を破損したり、内蓋（２）自体を紛失したりするおそれもある。
【課題を解決するための手段】
【０００９】
本考案はこのような諸問題の改良を目的としており、その目的を達成するために、請求項１では透明又は半透明な合成樹脂のケース本体台へ一定時間毎に服用すべき薬収納凹所の複数個を、その少なくとも上方から全体的に通覧できる上向き開口分布状態に並列設置して、
【００１０】
その複数個の薬収納凹所へ透明又は半透明な合成樹脂の開閉キャップを各々取り付けると共に、
【００１１】
上記ケース本体台における各薬収納凹所と対応する位置又は／及びその各開閉キャップへ、薬服用時間の案内文字がプリントされた表示シールを貼り付けたことを特徴とする。
【００１２】
又、請求項２ではケース本体台に並列設置する薬収納凹所とその開閉キャップを合計４個づつとし、表示シールにプリントする薬服用時間の案内文字を、朝・昼・夜の毎食後と就寝前の意味になる合計４種類に設定したことを特徴とする。
【００１３】
請求項３ではケース本体台に並列設置する各薬収納凹所の内底面を、深く陥没する円錐凹曲面に造形したことを特徴とする。
【００１４】
更に、請求項４ではケース本体台に並列設置する各薬収納凹所の開閉キャップ又は／及びその各表示シールへ、互いに異なる着色カラーを与えたことを特徴とする。
【考案の効果】
【００１５】
請求項１の構成によれば、ケース本体台に並列設置された複数個の薬収納凹所と、その各薬収納凹所に収納されている薬の服用時間である案内文字がプリントされている表示シールとは、そのケース本体台の上方又は／及び正面から全体を通覧できる状態にあるため、上記ケース本体台の薬収納凹所とその開閉キャップが透明又は半透明の合成樹脂から成り、その内部の薬を外部から透視・確認できることや、複数個の薬収納凹所が１個づつ開閉キャップによって開閉されることとも相俟って、老人は決まった一定時間毎に服用すべき薬だけを、正確に服用できるのであり、その薬の服用忘れや重複服用などを起すおそれはない。
【００１６】
このような効果を得るための必要構成としても、全体的に簡素で足り、その使用法も薬服用時間の案内文字がプリントされた表示シールを目視・確認して、その時間毎に服用すべき薬の収納凹所を１個づつ開閉すれば良く、その操作を老人が違和感なく簡単に行えるので、使用上の利便性と量産性に優れる。
【００１７】
特に、請求項２の構成を採用するならば、老人にとって毎日の朝食後と昼食後並びに夕食後に各々服用すべき薬や、就寝前に服用すべき薬を正しく服用することができ、一般家庭用の薬保管ケースとして有益である。
【００１８】
又、請求項３の構成を採用するならば、各薬収納凹所の内底面が深く陥没する円錐凹曲面（半球面）に造形されているため、錠剤やカプセル剤などの薬を老人が片手の指先によって、薬収納凹所から確実に摘まみ出すことができるほか、その各薬収納凹所の内底面を隅々まで容易に美しく清掃し得る効果もある。
【００１９】
更に、請求項４の構成を採用するならば、各薬収納凹所の開閉キャップ又は／及びその各表示シールに与えられた異なる着色カラー（色分け）により、各薬とその服用時間の識別効果がますます向上し、その重複服用や服用忘れなどの防止に役立つ。
【図面の簡単な説明】
【００２０】
【図１】本考案に係る薬保管ケースの第１実施形態を示す斜面図である。
【図２】図１の正面図である。
【図３】図２の３−３線断面図である。
【図４】図３の４−４線断面図である。
【図５】図４に対応する部分変形実施形態を示す断面図である。
【図６】図４に対応する別な部分変形実施形態を示す断面図である。
【図７】本考案に係る薬保管ケースの第２実施形態を示す正面図である。
【図８】図７の平面図である。
【考案を実施するための形態】
【００２１】
以下、図面に基いて本考案の具体的構成を詳述すると、図１〜４はその本考案に係る薬保管ケースの第１実施形態を示しており、（１０）はポリエチレン（ＰＥ）やポリスチレン（ＰＳ）、ポリプロピレン（ＰＰ）、ポリエチレンテレフタレート（ＰＥＴ）、その他の透明又は半透明な合成樹脂から成形されたケース本体台であって、テーブル面に安定良く据え置くことができる直方体を呈し、これには複数個（合計４個）の第１〜４薬収納凹所（１１ａ）（１１ｂ）（１１ｃ）（１１ｄ）が上向き開口する分布状態に並列設置されている。
【００２２】
上記第１〜４薬収納凹所（１１ａ）〜（１１ｄ）はすべて同じ大きさの断面ほぼＵ字形をなし、その内部へ１回づつ服用する錠剤やカプセル剤などの個装状態にある第１〜４薬（Ｍ１）（Ｍ２）（Ｍ３）（Ｍ４）を、例えば１日分や１週間分などの単位量だけまとめて収納することができる。その場合、各薬収納凹所（１１ａ）〜（１１ｄ）の内底面は深く陥没する円錐凹曲面（半球面）（１２）として造形されており、老人でも片手の指先により各薬（Ｍ１）〜（Ｍ４）を容易・確実に摘まみ出すことができ、内部の清掃も隅々まで漏れなく行えるようになっている。
【００２３】
又、各薬収納凹所（１１ａ）〜（１１ｄ）は上記ケース本体台（１０）の水平な上面から一定高さだけ円筒状に垂立しており、その胴体の外周面からは全体的な放射対称型に点在分布する複数（図例では合計４個）の係合凸起（１３）が連続一体に張り出されている。但し、図４と対応する図５の部分変形実施形態に示す如く、その点在分布する複数の係合凸起（１３）に代えて、全体的なリング状に連続する１条の係合凸起（１３）を各薬収納凹所（１１ａ）〜（１１ｄ）の上記外周面から張り出しても良い。
【００２４】
（１４ａ）（１４ｂ）（１４ｃ）（１４ｄ）は上記ケース本体台（１０）の第１〜４薬収納凹所（１１ａ）〜（１１ｄ）と対応する複数個（合計４個）の第１〜４開閉キャップであって、好ましくはケース本体台（１０）よりも軟質な同じ透明又は半透明の合成樹脂から、すべて同じ大きさの断面ほぼ倒立Ｕ字形に成形されており、その各薬収納凹所（１１ａ）〜（１１ｄ）の上記胴体を被覆する内周面には、上記係合凸起（１３）と係脱自在に係合する係合凹溝（１５）が切り欠かれている。
【００２５】
そのため、上記ケース本体台（１０）の第１〜４薬収納凹所（１１ａ）〜（１１ｄ）へその第１〜４開閉キャップ（１４ａ）〜（１４ｄ）を、上方から抜き差し自在に差し込むことにより、各薬収納凹所（１１ａ）〜（１１ｄ）を開閉することができる。但し、ケース本体台（１０）の各薬収納凹所（１１ａ）〜（１１ｄ）を開閉できるキャップ（１４ａ）〜（１４ｄ）であるならば、これを各薬収納凹所（１１ａ）〜（１１ｄ）へ図示のような抜き差し自在に差し込む言わばプッシュ・プル操作式の凹凸係合構造のみならず、これに代る回動操作式のネジ締結構造や、開閉キャップ（１４ａ）〜（１４ｄ）がケース本体台（１０）の各薬収納凹所（１１ａ）〜（１１ｄ）へ薄肉又は軟質のヒンジを支点として起伏的に回動し、互いに分離しない開閉構造を採用しても良い。
【００２６】
（１６）は持ち運び用の把手であって、合成樹脂から倒立Ｕ字形に成形されており、その下部両端が一対の合成樹脂製貫通ピン（ダボ）（１７）を介して、上記ケース本体台（１０）へ起伏的な回動自在に枢着されている。その貫通ピン（１７）は先端楔の外径を割り溝により収縮変形させて、把手（１６）とケース本体台（１０）へ差し込むことができ、その差し込み後の復元的な拡開により、抜け止め状態に保たれるものである。
【００２７】
更に、（１８ａ）（１８ｂ）（１８ｃ）（１８ｄ）は上記ケース本体台（１０）の正面における第１〜４薬収納凹所（１１ａ）〜（１１ｄ）と対応位置する複数個所（合計４個所）へ、図外の接着剤や両面接着テープなどを介して並列状態に貼り付けられた複数個の第１〜４表示シールであり、その表面には「朝」、「昼」、「夜」、「寝る前」という互いに異なる薬服用時間を意味する案内文字（Ａ）（Ｂ）（Ｃ）（Ｄ）がプリント（印刷）されている。
【００２８】
つまり、上記ケース本体台（１０）における第１薬収納凹所（１１ａ）と対応する位置には、その第１薬収納凹所（１１ａ）に収納されている第１薬（Ｍ１）の服用時間である「朝」の案内文字（Ａ）をプリントした第１表示シール（１８ａ）が貼り付けられており、これと同様にして、第２薬収納凹所（１１ｂ）と対応する位置には「昼」の案内文字（Ｂ）をプリントした第２表示シール（１８ｂ）が、第３薬収納凹所（１１ｃ）と対応する位置には「夜」の案内文字（Ｃ）をプリントした第３表示シール（１８ｃ）が、第４薬収納凹所（１１ｄ）と対応する位置には「寝る前」の案内文字（Ｄ）をプリントした第４表示シール（１８ｄ）が各々貼り付けられているわけである。
【００２９】
その場合、第１〜４表示シール（１８ａ）〜（１８ｄ）の貼り付け順序としては、図示のような時系列であることが老人にとって理解しやすいけれども、必らずしもこれに限らない。又、図示の案内文字（Ａ）〜（Ｄ）は漢字になっているが、これに代る平仮名文字や片仮名文字、欧文字などであっても良く、要するに薬服用時間を識別・特定できる意味の表示であれば足りる。但し、記号は老人にとって誤解のおそれがあるため、好ましくない。
【００３０】
第１〜４表示シール（１８ａ）〜（１８ｄ）の案内文字（Ａ）〜（Ｄ）を互いに異なる表示としてプリントすることに加えて、その各表示シール（１８ａ）〜（１８ｄ）に異なる着色カラーを与える（色分けする）ことも考えられる。又、各薬収納凹所（１１ａ）〜（１１ｄ）の開閉キャップ（１４ａ）〜（１４ｄ）へ互いに異なる着色カラーを与えて（色分けして）も良い。そうすれば、各薬（Ｍ１）〜（Ｍ４）とその服用時間の識別効果がますます向上することになる。
【００３１】
何れにしても、上記ケース本体台（１０）に並列設置された第１〜４薬収納凹所（１１ａ）〜（１１ｄ）と、その各個に収納されている第１〜４薬（Ｍ１）〜（Ｍ４）の服用時間である案内文字（Ａ）〜（Ｄ）の第１〜４表示シール（１８ａ）〜（１８ｄ）とは、そのケース本体台（１０）の正面から全体を一目瞭然に通覧できる状態にあるため、上記第１〜４薬収納凹所（１１ａ）〜（１１ｄ）とその第１〜４開閉キャップ（１４ａ）〜（１４ｄ）が透明又は半透明として、その内部の各薬（Ｍ１）〜（Ｍ４）を透視できることや、各薬収納凹所（１１ａ）〜（１１ｄ）がその各開閉キャップ（１４ａ）〜（１４ｄ）での別個独立に開閉されることとも相俟って、老人が服用すべき第１〜４薬（Ｍ１）〜（Ｍ４）の出し入れやその決まった一定時間での服用を誤まるおそれは無くなり、安心である。
【００３２】
この点、図示の実施形態では上記薬服用時間の案内文字（Ａ）〜（Ｄ）がプリントされた第１〜４表示シール（１８ａ）〜（１８ｄ）を、ケース本体台（１０）の正面における第１〜４薬収納凹所（１１ａ）〜（１１ｄ）と対応位置する４箇所へ貼り付けているが、このような構成に代えて又は加えて、上記と同じ第１〜４表示シール（１８ａ）〜（１８ｄ）を第１〜４開閉キャップ（１４ａ）〜（１４ｄ）の上面へ貼り付けても良い。
【００３３】
そうすれば、第１〜４薬収納凹所（１１ａ）〜（１１ｄ）とその第１〜４表示シール（１８ａ）〜（１８ｄ）の全体をケース本体台（１０）の上方からも一目瞭然に通覧することができ、第１〜４薬（Ｍ１）〜（Ｍ４）の服用忘れや重複服用をますます完全に予防し得るのである。尚、各表示シール（１８ａ）〜（１８ｄ）はその新品と貼り替えることも可能である。
【００３４】
更に言えば、図１〜４の上記第１実施形態では各薬収納凹所（１１ａ）〜（１１ｄ）の開閉キャップ（１４ａ）〜（１４ｄ）を断面ほぼ倒立Ｕ字形として、その各薬収納凹所（１１ａ）〜（１１ｄ）の胴体へ外嵌状態に被着させているが、図４と対応する図６の別な部分変形実施形態に示す如く、各薬収納凹所（１１ａ）〜（１１ｄ）の開閉キャップ（１４ａ）〜（１４ｄ）を係止鍔（１９）付きの断面ほぼＵ字形として、その張り出し係止鍔（１９）が薬収納凹所（１１ａ）〜（１１ｄ）の開口上縁部へ係止し得るように、各開閉キャップ（１４ａ）〜（１４ｄ）を薬収納凹所（１１ａ）〜（１１ｄ）の胴体へ内嵌状態に差し込んでも良い。
【００３５】
そして、その場合には各開閉キャップ（１４ａ）〜（１４ｄ）の円形周縁部から摘まみ片（２０）を上向き連続一体に張り出しておき、これを老人が片手の指先で摘まむことにより、その開閉キャップ（１４ａ）〜（１４ｄ）を薬収納凹所（１１ａ）〜（１１ｄ）から容易・確実に抜き取り開口させることができるように定めるのである。
【００３６】
このような係止鍔（１９）が張り出す断面ほぼＵ字形の開閉キャップ（１４ａ）〜（１４ｄ）を採用するならば、薬（Ｍ１）〜（Ｍ４）の服用後に、その薬収納凹所（１１ａ）〜（１１ｄ）を閉鎖した開閉キャップ（１４ａ）〜（１４ｄ）の凹段面（２１）へ、薬服用済みの屑（痕跡）（ｍ）を残置させておくことにより、服用忘れや重複服用の防止に役立てることができ、ますます有益となる。
【００３７】
尚、上記ケース本体台（１０）の薬収納凹所（１１ａ）〜（１１ｄ）と開閉キャップ（１４ａ）〜（１４ｄ）は、その内部に収納されている薬（Ｍ１）〜（Ｍ４）を外部から透視・確認できる限り、これらに淡い緑色や黄色、灰色、桃色、青色、その他の適当な着色カラーを施してもさしつかえない。図１〜４に示した開閉キャップ（１４ａ）〜（１４ｄ）からも、上記指先での摘まみ片（２０）を張り出すことができる。
【００３８】
次に、図１〜４の上記第１実施形態に基いて、その薬保管ケースの使用法を説明すると、病院や薬局から受け取った薬袋（図示省略）から、錠剤やカプセル剤などの個装状態にある第１〜４薬（Ｍ１）〜（Ｍ４）を取り出し、これを服用時間毎に分けて、その朝食後に服用すべき第１薬（Ｍ１）はこれを、「朝」の案内文字（Ａ）が第１表示シール（１８ａ）により表示されているケース本体台（１０）の第１薬収納凹所（１１ａ）へ収納し、昼食後に服用すべき第２薬（Ｍ２）はこれを、「昼」の案内文字（Ｂ）が第２表示シール（１８ｂ）により表示されている第２薬収納凹所（１１ｂ）へ収納し、夕食後に服用すべき第３薬（Ｍ３）はこれを、「夜」の案内文字（Ｃ）が第３表示シール（１８ｃ）により表示されている第３薬収納凹所（１１ｃ）へ収納し、更に就寝前に服用すべき第４薬（Ｍ４）はこれを、「寝る前」の案内文字（Ｄ）が第４表示シール（１１ｄ）により表示されている第４薬収納凹所（１１ｄ）へ収納して、その何れも各開閉キャップ（１４ａ）〜（１４ｄ）によって閉鎖状態に保っておく。
【００３９】
その場合、例えば毎食後に服用すべき薬はこれを、上記「朝」と「昼」並びに「夜」の案内文字（Ａ）〜（Ｃ）が第１〜３表示シール（１８ａ）〜（１８ｃ）により表示されている第１〜３薬収納凹所（１１ａ）〜（１１ｃ）へ、その必要量づつ収納しておけば良い。つまり、一定時間毎に服用すべき薬の品種は、互いに異なる場合のほか、互いに同一の場合もあり得る。
【００４０】
又、その各薬収納凹所（１１ａ）〜（１１ｄ）に収納する各薬（Ｍ１）〜（Ｍ４）の単位量も、１回づつの服用量（必らずしも１個だけに限らない。）を考慮し、１日分や１週間分、１ヶ月分などにまとめて一括収納することができ、服用すべき時間の薬が不要な場合、その薬の収納凹所が空の状態に保たれることは言うまでもない。
【００４１】
そして、毎日の朝食後第１薬（Ｍ１）を服用する際には、上記ケース本体台（１０）の第１薬収納凹所（１１ａ）だけを図３、４のように、その第１開閉キャップ（１４ａ）の取りはずしなどにより開口させて、その第１薬（Ｍ１）を取り出し服用する一方、第１薬収納凹所（１１ａ）を開閉キャップ（１４ａ）により閉鎖状態に復元する。
【００４２】
このような方法に準じて、昼食後の第２薬（Ｍ２）を服用する時には第２薬収納凹所（１１ｂ）だけを、夕食後の第３薬（Ｍ３）を服用する時には第３薬収納凹所（１１ｃ）だけを、更に就寝前の第４薬（Ｍ４）を服用する際には第４薬収納凹所（１１ｄ）だけを、各々別個独立に開口させて、その各薬収納凹所（１１ａ）〜（１１ｄ）から取り出した薬（Ｍ１）〜（Ｍ４）の必要量を服用すると共に、各開閉キャップ（１４ａ）〜（１４ｄ）の取り付けにより閉鎖状態に復元すれば良く、その使用法は老人にとっても著しく簡便である。
【００４３】
ケース本体台（１０）に並列設置されている第１〜４薬収納凹所（１１ａ）〜（１１ｄ）と、その薬服用時間の案内文字（Ａ）〜（Ｄ）がプリントされた第１〜４表示シール（１８ａ）〜（１８ｄ）との全体を一目瞭然に通覧し乍ら、その各薬収納凹所（１１ａ）〜（１１ｄ）を個別に開口するようになっているため、各薬収納凹所（１１ａ）〜（１１ｄ）内の薬（Ｍ１）〜（Ｍ４）を外部から肉眼により、透視・確認し得ることとも相俟って、服用すべき時間毎の必要な薬（Ｍ１）〜（Ｍ４）を正確に服用させることができ、老人による誤まった重複服用や服用忘れなどの発生するおそれはない。
【００４４】
特に、各薬収納凹所（１１ａ）〜（１１ｄ）から一旦取りはずし、薬服用後その各薬収納凹所（１１ａ）〜（１１ｄ）へ図６のような施蓋状態に復元した各開閉キャップ（１４ａ）〜（１４ｄ）の凹段面（２１）へ、服用した薬の屑（痕跡）（ｍ）を意図的に残置させておくならば、その薬の服用忘れや重複服用などの危険性を一層確実に予防することができ、安心である。
【００４５】
更に、図７、８は本考案に係る薬保管ケースの第２実施形態を示しており、これではそのケース本体台（１０）を上記第１実施形態と同様な合成樹脂から円筒形や立方体に形作って、これに複数個（合計４個）の第１〜４薬収納凹所（１１ａ）〜（１１ｄ）を上方から全体の通覧できる状態に並列設置している。
【００４６】
しかも、そのケース本体台（１０）の第１〜４薬収納凹所（１１ａ）〜（１１ｄ）を開閉する第１〜４開閉キャップ（１４ａ）〜（１４ｄ）の上面に、薬服用時間の案内文字（Ａ）〜（Ｄ）をプリントした第１〜４表示シール（１８ａ）〜（１８ｄ）が、その全体の一目瞭然に通覧できる状態として、各々貼り付けられているのであり、そのため図１〜４の上記第１実施形態と同様な方法によって便利良く使用でき、その第１実施形態と同じ諸効果を得られる。
【００４７】
尚、第２実施形態におけるその他の構成は上記第１実施形態と実質的に同一であるため、その図７、８に図１〜４との対応符号を記入するにとどめて、その詳細な説明を省略する。
【符号の説明】
【００４８】
（１０）・ケース本体台
（１１ａ）・第１薬収納凹所
（１１ｂ）・第２薬収納凹所
（１１ｃ）・第３薬収納凹所
（１１ｄ）・第４薬収納凹所
（１２）・円錐凹曲面（半球面）
（１３）・係合凸起
（１４ａ）・第１開閉キャップ
（１４ｂ）・第２開閉キャップ
（１４ｃ）・第３開閉キャップ
（１４ｄ）・第４開閉キャップ
（１５）・係合凹溝
（１６）・把手
（１７）・貫通ピン
（１８ａ）・第１表示シール
（１８ｂ）・第２表示シール
（１８ｃ）・第３表示シール
（１８ｄ）・第４表示シール
（１９）・張り出し係止鍔
（２０）・摘まみ片
（２１）・凹段面
（Ａ）（Ｂ）（Ｃ）（Ｄ）・案内文字
（Ｍ１）・第１薬
（Ｍ２）・第２薬
（Ｍ３）・第３薬
（Ｍ４）・第４薬
（ｍ）・薬服用済みの屑（痕跡）
【図１】
0003170599.tif 000003
【図２】
0003170599.tif 000004
【図３】
0003170599.tif 000005
【図４】
0003170599.tif 000006
【図５】
0003170599.tif 000007
【図６】
0003170599.tif 000008
【図７】
0003170599.tif 000009
【図８】
0003170599.tif 000010